(57)【要約】【課題】  小型化しつつ洗浄し易い外科用トルクレンチを提供する。【解決手段】  外科用トルクレンチ１は、ねじ６０が連結される頭部１１及び頭部１１から延在する筒状の胴部１２を有する本体１０と、弾性を有し胴部１２に挿入されて胴部１２に保持される主軸３０と、目盛り部４０と、を備える。胴部１２には、主軸３０の長手方向と垂直な断面における外形の最小の幅よりも幅が大とされる切り欠き２２が頭部１１と反対側の端から延在方向に沿って所定の位置まで形成され、主軸３０の頭部１１と反対側の端部は、胴部１２における頭部１１と反対側の端から外部に突出し、目盛り部４０は、切り欠き２２が位置する側に主軸３０が曲げられた際における胴部１２の延在方向を基準とした主軸３０の曲がり度合いを示す目盛り４２を有する。【選択図】    図２
2019136315.tif 000002
【特許請求の範囲】
【請求項１】
ねじが連結される頭部及び前記頭部から延在する筒状の胴部を有する本体と、
弾性を有し前記胴部に挿入されて前記胴部に保持される主軸と、
目盛り部と、
を備え、
前記胴部には、前記主軸の長手方向と垂直な断面における外形の最小の幅よりも幅が大とされる切り欠きが前記頭部と反対側の端から当該胴部の延在方向に沿って所定の位置まで形成され、
前記主軸の前記頭部と反対側の端部は、前記胴部における前記頭部と反対側の端から外部に突出し、
前記目盛り部は、前記切り欠きが位置する側に前記主軸が曲げられた際における前記胴部の延在方向を基準とした前記主軸の曲がり度合いを示す目盛りを有する
ことを特徴とする外科用トルクレンチ。
【請求項２】
前記本体は、前記頭部と前記胴部とに分解可能である
ことを特徴とする請求項１に記載の外科用トルクレンチ。
【請求項３】
前記目盛り部は、前記胴部に取り付けられる
ことを特徴とする請求項１または２に記載の外科用トルクレンチ。
【請求項４】
前記目盛り部は、前記主軸に取り付けられる
ことを特徴とする請求項１または２に記載の外科用トルクレンチ。
【請求項５】
前記頭部は、前記ねじの少なくとも一部または前記ねじが連結される工具の少なくとも一部を収容する収容部を有し、
前記主軸は、前記収容部まで延在するとともに当該主軸の軸方向に移動可能とされる
ことを特徴とする請求項１から４のいずれか１項に記載の外科用トルクレンチ。
【請求項６】
前記主軸は、当該主軸の軸を中心として回転可能とされ、
前記主軸の前記頭部の側の端部は、当該主軸の前記頭部の側に向かって先細りとなるように軸方向に対して傾いた傾斜面を有する
ことを特徴とする請求項５に記載の外科用トルクレンチ。
【請求項７】
前記本体は、前記主軸を前記頭部の側に付勢する弾性体を更に備える
ことを特徴とする請求項５または６に記載の外科用トルクレンチ。
【発明の詳細な説明】
【技術分野】
【０００１】
本発明は、外科用トルクレンチに関する。
【背景技術】
【０００２】
現在、歯科等の医療の分野において、所定のトルクでねじを締め付けることができる外科用トルクレンチが知られている。例えばインプラント治療では、一般的に、顎骨に埋め込まれた歯根部に支持台がねじによって固定され、この支持台に人工歯が取り付けられる。支持台をねじによって歯根部に取り付ける際のねじを締め付けるトルクが小さいと人工歯にがたつきが生じる虞があり、このトルクが大きいと支持台等に損傷が生じてしまう虞がある。このため、所定のトルクでねじを締め付けることができる外科用トルクレンチが用いられている。
【０００３】
下記特許文献１には、ラチェット頭部を有する筒状のラチェットハンドル及びラチェットハンドルに挿入されるボルトロッドを備えるラチェット器具と、トルク器具に装着される筒状の支持体、線形弾性を有し一端が支持体に固定されて当該支持体に沿って延在する曲げロッド、及び支持体に位置している目盛りを有するトルクインジケータと、を備える外科用トルクレンチが開示されている。この外科用トルクレンチでは、ラチェット頭部に挿入されるねじ込み工具にボルトロッドが係合した状態で曲げロッドに力を加えることによって、ねじ込み工具に嵌合するねじにトルクを伝達することができる。この際、曲げロッドは加えるトルクに応じて曲がり、このロッドの曲がり度合いを示す目盛りにより、ねじに生じるトルクが分かる。このため、この外科用トルクレンチは、所定のトルクでねじを締め付けることができる。
【先行技術文献】
【特許文献】
【０００４】
【特許文献１】特許第２９６６７７２号公報
【発明の概要】
【発明が解決しようとする課題】
【０００５】
ところで、一般的に医療の分野において用いられる器具は、使用のたびに滅菌処理を含む洗浄が施される。上記特許文献１に記載の外科用トルクレンチでは、ラチェット器具のラチェットハンドルやトルクインジケータの支持体は筒状であるため、これらの内部を洗浄し難い傾向にある。
【０００６】
また、医療の分野において用いられる器具は、狭い空間内、例えば口腔等に挿入して使用される場合があり、小型化の要請がある。
【０００７】
そこで、本発明は、小型化しつつ洗浄し易い外科用トルクレンチを提供しようとするものである。
【課題を解決するための手段】
【０００８】
上記目的を達成するため、本発明の外科用トルクレンチは、ねじが連結される頭部及び前記頭部から延在する筒状の胴部を有する本体と、弾性を有し前記胴部に挿入されて前記胴部に保持される主軸と、目盛り部と、を備え、前記胴部には、前記主軸の長手方向と垂直な断面における外形の最小の幅よりも幅が大とされる切り欠きが前記頭部と反対側の端から当該胴部の延在方向に沿って所定の位置まで形成され、前記主軸の前記頭部と反対側の端部は、前記胴部における前記頭部と反対側の端から外部に突出し、前記目盛り部は、前記切り欠きが位置する側に前記主軸が曲げられた際における前記胴部の延在方向を基準とした前記主軸の曲がり度合いを示す目盛りを有することを特徴とするものである。
【０００９】
本発明の外科用トルクレンチでは、主軸は胴部に保持されているため、主軸にトルクが加えられるとそのトルクは本体に伝達される。従って、外科用トルクレンチは、主軸に加えるトルクによって頭部に連結されるねじにトルクを加えることができ、このねじを締め付け得る。なお、頭部にねじを連結させる形態には、頭部にねじを直接連結させる形態や工具等を介して頭部にねじを連結させる形態が含まれる。
【００１０】
また、この外科用トルクレンチでは、主軸は弾性を有し、目盛り部は主軸の曲がり度合いを示す目盛りを有する。ここで、頭部に連結されるねじに加わるトルクは、主軸の曲がり度合いと所定の関係を有するため、主軸の曲がり度合いからこのねじに加わるトルクが分かり得る。従って、この外科用トルクレンチは、所望のトルクでねじを締め付け得る。
【００１１】
また、この外科用トルクレンチでは、筒状の胴部に主軸が挿入されるため、本体の外部に主軸の全体が位置する場合と比べて、小型化し得る。
【００１２】
また、この外科用トルクレンチでは、胴部には、主軸の長手方向と垂直な断面における外形の最小の幅よりも幅が大とされる切り欠きが頭部と反対側の端から当該胴部の延在方向に沿って所定の位置まで形成される。このため、主軸が胴部に対して切り欠きの側に曲げられた際には、主軸の湾曲する部位の一部は、この切り欠きから胴部の外部に突出し得る。このため、主軸の曲がりが胴部よって妨げられることを抑制でき、切り欠きが形成されていない筒状の胴部と比べて、胴部の外径を小さくでき、外科用トルクレンチを小型化し得る。また、切り欠きが形成されていない筒状の胴部と比べて、胴部の内部を洗浄し易い。なお、主軸の長手方向と垂直な断面における外形の最小の幅は、例えば断面の外形が概ね円形である場合にはその直径とされ、断面の外形が概ね多角形の場合にはその対辺間の距離のうち最小の距離とされる。
【００１３】
前記本体は、前記頭部と前記胴部とに分解可能であることが好ましい。
【００１４】
この場合、頭部と胴部とを別々に洗浄することができ、本体が頭部と胴部とに分解できない場合と比べて、本体を洗浄し易くなる。
【００１５】
前記目盛り部は、前記胴部に取り付けられることとしても良い。
【００１６】
或いは、前記目盛り部は、前記主軸に取り付けられることとしても良い。
【００１７】
前記頭部は、前記ねじの少なくとも一部または前記ねじが連結される工具の少なくとも一部を収容する収容部を有し、前記主軸は、前記収容部まで延在するとともに当該主軸の軸方向に移動可能とされることが好ましい。
【００１８】
このような構成にすることで、主軸の頭部の側の端部をねじの係合部や工具の係合部、例えば溝や突起等に係合させたり、この係合を解いたりでき、この主軸によってねじを頭部に連結させたり、この連結を解いたりし得る。このため、この外科用トルクレンチは、主軸と異なる別の部材、例えば上記特許文献１に記載の外科用トルクレンチにおけるボルトロッドを備えなくても本体の頭部にねじを連結させたり、この連結を解いたりし得る。従って、主軸と異なる別の部材によってねじを本体の頭部に連結させる場合と比べて、外科用トルクレンチを簡易な構成にすることができる。また、ねじや工具が上記の係合部を複数有する場合には、使用者は頭部の収容部からこのねじや工具を取り外さなくてもこのねじや工具に対する外科用トルクレンチの延在方向を変更し得るため、操作性が良好な外科用トルクレンチとし得る。
【００１９】
上記のように前記主軸が当該主軸の軸方向に移動可能とされる場合、前記主軸は、当該主軸の軸を中心として回転可能とされ、前記主軸の前記頭部の側の端部は、当該主軸の前記頭部の側に向かって先細りとなるように軸方向に対して傾いた傾斜面を有することが好ましい。
【００２０】
先細りとなるように軸方向に対して傾いた傾斜面に加わる力は、主軸の軸方向と概ね垂直な方向と主軸の軸方向とに作用するため、この軸方向の力によって主軸は軸方向に移動し得る。このため、外科用トルクレンチにトルクを加えた際にこの傾斜面に上記のねじや工具が当接して傾斜面に力が加わる場合には、主軸が軸方向に移動して主軸の端部とねじや工具の係合部との係合が解かれ、ねじにトルクが加わらないようにし得る。一方、外科用トルクレンチにトルクを加えた際にこの傾斜面に力が加わらない場合には、この係合は解かれずに、ねじにトルクを加え得る。従って、外科用トルクレンチへのトルクの加え方に応じてねじにトルクが加わらないようにし得る。また、主軸は当該主軸の軸を中心として回転可能とされるため、このねじや工具の係合部に対する傾斜面の向きを変更することができる。従って、使用者は頭部の収容部からこのねじや工具を取り外さなくてもねじにトルクを加え得るトルクの加え方を変更し得るため、操作性が良好な外科用トルクレンチとし得る。
【００２１】
上記のように前記主軸が当該主軸の軸方向に移動可能とされる場合、前記本体は、前記主軸を前記頭部の側に付勢する弾性体を更に備えることが好ましい。
【００２２】
このような構成にすることで、使用者は主軸を頭部の側へ移動させなくても主軸の端部をねじの係合部やねじに連結される工具の係合部に係合させ得るため、操作性が良好な外科用トルクレンチとし得る。
【発明の効果】
【００２３】
以上のように、本発明によれば、小型化しつつ洗浄し易い外科用トルクレンチを提供し得る。
【図面の簡単な説明】
【００２４】
【図１】本発明の第１実施形態に係る外科用トルクレンチの一例を示す正面図である。
【図２】図１の主軸を通る外科用トルクレンチの断面図である。
【図３】図１の外科用トルクレンチの側面図である。
【図４】図１の外科用トルクレンチに係止される工具の一例を示す正面図である。
【図５】図１の外科用トルクレンチに工具が係止された状態を図２と同じ視点で示す図である。
【図６】図１の外科用トルクレンチに工具が係止された状態を図３と同じ視点で示す図である。
【図７】本発明の第２実施形態に係る外科用トルクレンチを図１と同じ視点で示す図である。
【図８】本発明の第２実施形態に係る外科用トルクレンチを図２と同じ視点で示す図である。
【発明を実施するための形態】
【００２５】
以下、本発明に係る外科用トルクレンチを実施するための形態が添付図面とともに例示される。以下に例示する実施形態は、本発明の理解を容易にするためのものであり、本発明を限定して解釈するためのものではない。本発明は、その趣旨を逸脱することなく、以下の実施形態から変更、改良することができる。
【００２６】
（第１実施形態）
図１は、本実施形態に係る外科用トルクレンチの一例を示す正面図である。図１に示すように、本実施形態の外科用トルクレンチ１は、本体１０と、主軸３０と、目盛り部４０とを主な構成として備える。
【００２７】
図２は図１の主軸を通る外科用トルクレンチの断面図であり、図３は図１の外科用トルクレンチの側面図である。なお、図３では、頭部１１の一部が断面で示されている。図２に示すように、本実施形態の本体１０は、頭部１１と、胴部１２と、ロックナット１３と、コイルばね２３とを主な構成として備える。
【００２８】
本実施形態の頭部１１は、円筒状の係止部１４と、円筒状の接続部１５とを備える。接続部１５は、係止部１４から当該係止部１４の径方向へ延在している。接続部１５は、係止部１４の側から順に、接続部１５の内径が最小とされる小径部１６と、小径部１６に接続し内径が小径部の径よりも大とされる大径部１７とを有する。小径部１６には、内周面から突出する突起１８が形成されている。大径部１７は、係止部１４側と反対側の端から順に、大径部１７の外径が最小とされる挿入部１７Ａと、挿入部１７Ａに接続し外径が挿入部１７Ａよりも大とされる当接部１７Ｂとを有する。この当接部１７Ｂの外径は小径部１６の外径と概ね同じとされる。挿入部１７Ａと当接部１７Ｂとの境界としての当接部１７Ｂの挿入部１７Ａ側の端面は、接続部１５の延在方向と概ね垂直な平面とされている。また、当接部１７Ｂの外周面には、雄螺子が形成されている。筒状の係止部１４によって囲われる空間が収容部１９とされ、この収容部１９と接続部１５の内部空間とを連通させる円形の開口１４Ｈが係止部１４に形成されている。また、係止部１４の内周面における筒軸方向の両端部には、図３に示すように、それぞれ環状の溝２０が形成されている。
【００２９】
図２に示すように、本実施形態の胴部１２は円筒状の部材とされ、胴部１２の延在方向の一端部には頭部１１の接続部１５が円筒状のロックナット１３によって固定されている。具体的には、胴部１２には、一端から延在方向に沿って所定の位置まで当該胴部１２の外径が他の部位の外径よりも大きくされた嵌合部１２Ａを有する。胴部１２の一端である嵌合部１２Ａの接続部１５側の端面は、胴部１２の延在方向と概ね垂直な平面とされている。また、胴部１２における嵌合部１２Ａと嵌合部１２Ａ以外の部位との境界としての嵌合部１２Ａの接続部１５側と反対側の端面は、胴部１２の延在方向と概ね垂直な平面とされている。ロックナット１３には胴部１２が挿入され、胴部１２の嵌合部１２Ａには、接続部１５の大径部１７における挿入部１７Ａが挿入される。このロックナット１３によって胴部１２の嵌合部１２Ａ、接続部１５の挿入部１７Ａ、当接部１７Ｂの一部が覆われる。ロックナット１３の内周面の接続部１５側には当接部１７Ｂの外周面に形成される雄螺子に螺合する雌螺子が形成されている。また、ロックナット１３の内周面の胴部１２側には当該内周面から突出し、嵌合部１２Ａの接続部１５側と反対側の端面に当接する突起１３Ａが形成されている。このロックナット１３の雌螺子と当接部１７Ｂの雄螺子とが螺合することによって、胴部１２が接続部１５の側に移動してこの胴部１２が接続部１５に押し付けられる。具体的には、胴部１２の一端である嵌合部１２Ａの接続部１５側の端面が当接部１７Ｂの挿入部１７Ａ側の端面に押し付けられる。このようにして、胴部１２の一端部が接続部１５の係止部１４と反対側の端部に固定される。ロックナット１３の雌螺子と当接部１７Ｂの雄螺子との螺合を解くことによって、本体１０を頭部１１と胴部１２とに分解することができる。
【００３０】
なお、胴部１２を接続部１５に固定させる構成は特に限定されるものではない。図示による説明は省略するが、例えば胴部１２の一端部に接続部１５の係止部１４と反対側の端部が挿入され、胴部１２の内周面が接続部１５の外周面に圧着されることで、胴部１２が接続部１５に固定されても良い。このような構成として、例えば胴部に一端から延在方向に沿って所定の位置まで切り欠きが複数形成され、この切り欠きが形成された胴部の一端部に接続部の係止部と反対側の端部が挿入され、ロックナットが胴部の一端部の外周面に形成される雄螺子と螺合する構成が挙げられる。この場合、胴部の一端部の内周面が接続部の係止部と反対側の端部の外周面に押し付けられ、この胴部の一端部が接続部の係止部と反対側の端部に圧着によって固定される。また、Ｃ字止め輪によって、胴部が接続部に固定されても良い。このような構成として、例えば接続部の係止部と反対側の端部の外周面にＣ字止め輪が取り付けられ、このＣ字止め輪が弾性変形されてこのＣ字止め輪の外径が小さくされた状態で、接続部の係止部と反対側の端部が胴部の一端部に挿入される構成が挙げられる。この場合、Ｃ字止め輪は、胴部の内周面と接続部の外周面との間に位置する。そして、このＣ字止め輪の外周面は、当該Ｃ字止め輪の弾性力によって胴部の内周面に押し付けられ、Ｃ字止め輪と胴部との摩擦力によって、胴部が接続部に固定される。
【００３１】
胴部１２は、頭部１１の接続部１５に固定される一端部から他端の側へ所定の間隔をあけて、胴部１２の内径が最小とされる小径部２１を有する。この小径部２１の内径は、主軸３０の直径と概ね同じとされる。胴部１２には、頭部１１と反対側の端から小径部２１まで延在方向に沿って切り欠き２２が形成される。この切り欠き２２は、係止部１４の筒軸方向からみて胴部１２の延在方向と垂直な方向における一方の側に位置している。なお、切り欠き２２は、頭部１１と反対側の端から所定の部位まで形成されていれば良く、切り欠き２２は小径部２１まで延びていなくても良い。
【００３２】
本実施形態の主軸３０は、円柱状の部材とされ、主軸３０の径方向への所定の範囲内のトルクに対して弾性を有する。主軸３０は、当該主軸３０の軸が胴部１２の筒軸と概ね一致するように胴部１２に挿入され、当該主軸３０の軸方向に移動及び当該主軸３０の軸を中心として回転できるように、胴部１２に保持される。具体的には、主軸３０の直径は胴部１２の小径部２１の内径と概ね同じとされ、この主軸３０はこの小径部２１に挿入されて当該小径部２１によって支持される。この主軸３０の直径は、胴部１２の切り欠き２２の幅、つまり胴部１２の延在方向と概ね垂直な方向の幅よりも小とされる。言い換えると、上記の胴部１２の切り欠き２２の幅は、主軸３０の直径よりも大とされる。
【００３３】
主軸３０の頭部１１と反対側の端部は、胴部１２における頭部１１と反対側の端から外部に突出し、この端部には摘み部３１が固定される。摘み部３１の表面のうち、係止部１４の筒軸方向における両側の表面には、矢印３２が形成されている。この矢印３２は、後述するピンにおける爪部の向きを示し、図１に示される状態では、切り欠き２２が位置する側を示している。矢印３２は印刷によって形成されも良く、刻印によって形成されても良い。
【００３４】
一方、主軸３０の頭部１１の側の端部は小径部２１を越えて接続部１５の内部に位置し、この端部には主軸３０の軸方向に延在する概ね円柱状のピン３３が固定される。ピン３３は、主軸３０の側から順に、当該ピン３３の径が接続部１５の大径部１７の内径と概ね同じとされる大径部３４と、大径部３４に接続し径が接続部１５の小径部１６の内径と概ね同じとされる小径部３５とを有する。このようなピン３３は接続部１５に挿入され、図２に示す状態では、大径部３４が接続部１５の大径部１７に位置し、小径部３５が接続部１５の小径部１６に位置している。小径部３５は、先端部に爪部３６を有する。この爪部３６は、係止部１４の筒軸方向からみて胴部１２の延在方向と垂直な方向における小径部３５の両側の外周が延在方向に沿って先端まで切り欠かれて形成され、当該切り欠かれた部位の面が互いに概ね平行とされている。つまり、爪部３６は、ピン３３の先端部であって係止部１４の筒軸方向からみて胴部１２の延在方向と垂直な方向における幅が狭められた部位であり、図２に示す状態において、小径部１６の内周面から突出する突起１８を避けるように延在している。このため、図２に示すように爪部３６が突起１８を越えて係止部１４の側へ延在している状態においては、主軸３０を当該主軸３０の軸を中心として回転させると爪部３６と突起１８とが当接し、この回転が抑制される。この爪部３６は、係止部１４の筒軸方向からみて先細りとなるように軸方向に対して傾いた傾斜面３７と、軸方向と概ね平行な係合面３８と有する。この係合面３８は、図２に示す状態において、係止部１４の筒軸方向からみて傾斜面３７よりも切り欠き２２が位置する側に位置している。このような傾斜面３７と係合面３８とを有する爪部３６の先端部は、係止部１４の開口１４Ｈから収容部１９に突出している。上記の摘み部３１における矢印３２は、傾斜面３７に対して係合面３８が位置する側を示し、図１、図２に示す状態では、係合面３８が位置する側である切り欠き２２が位置する側を示している。
【００３５】
本実施形態のコイルばね２３は、螺旋状に巻回された線材からなる弾性体であり、胴部１２の内部空間であって、胴部１２の小径部２１と主軸３０のピン３３との間の空間に収縮可能に配置される。コイルばね２３には主軸３０が挿通され、コイルばね２３の一端は小径部２１に当接し、他端はピン３３に当接する。コイルばね２３の弾性力によって胴部１２に保持される主軸３０は頭部１１の側に付勢されており、図２に示す状態ではピン３３の大径部３４における小径部３５側の端が接続部１５の小径部１６における大径部１７側の端に当接している。なお、コイルばね２３のばね定数やサイズは適宜設定できる。また、コイルばね２３が配置される胴部１２の小径部２１と主軸３０のピン３３との間の空間は、爪部３６の先端が突起１８よりも胴部１２の側に位置することができるように形成される。そして、爪部３６の先端が突起１８よりも胴部１２の側に位置するように主軸３０が移動された際には、主軸３０を当該主軸３０の軸を中心として回転させ得る。
【００３６】
本実施形態の目盛り部４０は、基部４１と、目盛り４２とを有する。本実施形態の基部４１は、胴部１２の頭部１１と反対側の端に固定され、胴部１２から切り欠き２２が位置する側へ胴部１２を越えて延在する。係止部１４の筒軸方向からみた基部４１の形状は、頭部１１と反対側へ凸状に湾曲する概ね円弧形状とされる。なお、基部４１の形状は直線状であっても良い。基部４１には、係止部１４の筒軸方向からみて胴部１２の延在方向と垂直な方向の一端部から他端部に渡って胴部１２の延在方向に貫通する貫通孔４１Ｈが形成され、この貫通孔４１Ｈには主軸３０が挿通される。係止部１４の筒軸方向におけるこの貫通孔４１Ｈの幅は、切り欠き２２の幅と概ね同じとされる。基部４１の表面のうち、係止部１４の筒軸方向における両側の表面には、目盛り４２が形成されている。目盛り４２は印刷によって形成されも良く、刻印によって形成されても良い。
【００３７】
図４は図１の外科用トルクレンチに係止される工具の一例を示す正面図である。図４に示すように、本実施形態の外科用トルクレンチに係止される工具５０は、概ね円柱状の部材であり、工具５０の径が最小とされている工具胴部５１と工具胴部５１に接続し径が工具胴部５１の径よりも大とされる工具頭部５２とを有する。この工具頭部５２の直径は、係止部１４の内径と概ね同じとされる。工具胴部５１の工具頭部５２と反対側の端には、工具胴部５１の軸方向に窪んだ凹部５３を有し、この凹部５３にねじ６０の頭部が嵌合してねじ６０が工具５０に連結される。また、工具頭部５２の工具胴部５１の側の端部には、外周面から径方向に突出する環状のフランジ５４と、フランジ５４から工具胴部５１と反対側へ所定の間隔をあけて外周面から径方向に突出する環状の突起５５とを有する。また、突起５５よりも工具胴部５１と反対側の外周面には、工具頭部５２の軸方向に延びる複数の溝５６が周方向に概ね等間隔で形成されている。
【００３８】
なお、外科用トルクレンチ１の各部材を構成する材料は、特に限定されない。生産性や耐久性等の観点から、頭部１１、胴部１２、ロックナット１３、主軸３０、摘み部３１、ピン３３等を構成する材料として、例えばチタン、チタン合金、ステンレス鋼、アルミニウム、炭素鋼等の金属を挙げることができる。
【００３９】
次に、外科用トルクレンチ１によるねじ６０の締め付けについて説明する。
【００４０】
図５は図１の外科用トルクレンチに工具が係止された状態を図２と同じ視点で示す図であり、図６は図１の外科用トルクレンチに工具が係止された状態を図３と同じ視点で示す図である。なお、図５及び図６は頭部付近が拡大された図である。使用者は、図５、図６に示すように、本体１０の頭部１１に工具５０を連結させる。具体的には、使用者は、係止部１４によって囲われる空間である収容部１９に工具５０における工具頭部５２を挿入し、工具頭部５２の突起５５を撓ませてこの突起５５を係止部１４の内周面に形成される環状の溝２０に係合させる。このようにして収容部１９の工具頭部５２が収容されて突起５５が溝２０に係合されることによって、工具５０は係止部１４の筒軸を中心とした回転ができるように係止部１４に係止される。なお、突起５５が撓んでこの突起５５と溝２０との係合が解かれると、係止部１４から工具５０が取り外される。なお、この係止部１４の溝２０は係止部１４の筒軸方向の両端部に形成されているため、係止部１４の筒軸方向のどちらの側から工具頭部５２を収容部１９に挿入しても、工具５０を係止部１４に係止し得る。
【００４１】
ところで、上記のように主軸３０の爪部３６の先端部は、係止部１４の開口１４Ｈから係止部１４の収容部１９に突出している。この爪部３６の先端部が工具頭部５２に形成される複数の溝５６のうちの１つに係合することで、係止部１４に係止された工具５０の係止部１４の筒軸を中心とした回転が抑制され、頭部１１に工具５０が連結される。具体的には、例えば使用者は、主軸３０の摘み部３１を摘まんで主軸３０の軸方向であって頭部１１と反対側に主軸３０を引っ張り、爪部３６の先端部が収容部１９に突出しない状態とする。次に、使用者は、工具５０を中心として外科用トルクレンチ１を工具５０に対して回動して、工具５０に対する外科用トルクレンチ１の延在方向を所望の方向にし、主軸３０の引張を解く。主軸３０にはコイルばね２３によって当該主軸３０を頭部１１の側に付勢する付勢力が作用しているため、主軸３０の爪部３６の先端部は工具頭部５２の外周面に押し付けられる。この状態で、外科用トルクレンチ１を工具５０に対して回動し、爪部３６の先端部を工具頭部５２の溝５６上に位置させる。溝５６上に位置した爪部３６の先端部は、コイルばね２３の付勢力によってこの溝５６に押し込まれる。
【００４２】
次に、爪部３６の先端部が溝５６に押し込まれた状態で、使用者は、切り欠き２２が位置する側に主軸３０が曲がるように、主軸３０の摘み部３１に力を加える。つまり使用者は図５において工具５０を中心とした時計回りの方向のトルクを主軸３０に加える。上記のように、主軸３０は胴部１２に保持されているため、主軸３０にトルクが加えられるとこのトルクは本体１０に伝達される。具体的には、このトルクは、主軸３０を支持している胴部１２の小径部２１に伝達される。この際、爪部３６の係合面３８が工具頭部５２のこの溝５６の内面に当接し、爪部３６が溝５６に係合され、工具５０が頭部１１に連結され、工具５０に連結されるねじ６０も頭部１１に連結される。このため、頭部１１に連結された工具５０を介してねじ６０にトルクが加えられ、このトルクによってねじ６０を締め付け得る。
【００４３】
ところで、上記のように主軸３０は当該主軸３０の径方向への所定の範囲内のトルクに対して弾性を有するため、主軸３０に加えられるトルクによって主軸３０は胴部１２に対して湾曲する。主軸３０が湾曲する部位は、概ね胴部１２の小径部２１よりも摘み部３１の側の部位であり、図２には湾曲した主軸３０の状態の一例が破線で示されている。筒状の胴部１２には、頭部１１と反対側の端から延在方向に沿って小径部２１まで切り欠き２２が形成されており、この切り欠き２２の幅は主軸３０の直径よりも大とされている。このため、主軸３０が胴部１２に対して切り欠き２２が位置する側に曲げられた際には、主軸３０の湾曲する部位の一部は、この切り欠き２２から胴部１２の外部に突出し得る。
【００４４】
ところで、上述の目盛り部４０の目盛り４２は、切り欠き２２が位置する側に主軸３０が曲げられた際における胴部１２の延在方向を基準とした主軸３０の曲がり度合いを示すものとされる。主軸３０の曲がり度合いは、主軸３０に加えられるトルク、主軸３０の材料、主軸３０の断面形状、主軸３０が支持される位置等に基づいて求めることができる。また、頭部１１に連結される工具５０を介してねじ６０に加わるトルクは、主軸３０に加えられるトルクによって殆ど変形しないような剛性を本体１０が有している場合には、主軸３０に加えられるトルク、主軸３０を支持する部位から係止部１４までの距離等に基づいて求めることができる。本体１０が変形する場合にはこの変形も加味させる。従って、頭部１１に連結されるねじ６０に加わるトルクは、主軸３０の曲がり度合いと所定の関係を有しており、主軸３０の曲がり度合いからねじ６０に加わるトルクが分かり得る。本実施形態の目盛り４２は、主軸３０の曲がり度合いに基づくねじ６０に加わるトルクを示すものとされている。従って、目盛り４２における所望のトルクを示す位置と曲がった主軸３０とが重なるように主軸３０にトルクを加えることで、所望のトルクをねじ６０に加えることができ、所望のトルクでねじ６０を締結し得る。
【００４５】
以上説明したように、本実施形態の外科用トルクレンチ１は、工具５０を介してねじ６０が連結される頭部１１及び頭部１１から延在する筒状の胴部１２を有する本体１０と、弾性を有し胴部１２に挿入されて胴部１２に保持される主軸３０と、目盛り部４０と、を備える。胴部１２には、主軸３０の直径よりも幅が大とされる切り欠き２２が頭部１１と反対側の端から当該胴部１２の延在方向に沿って所定の位置まで形成されている。主軸３０の頭部１１と反対側の端部は、胴部１２における頭部１１と反対側の端から外部に突出している。目盛り部４０は、切り欠き２２が位置する側に主軸３０が曲げられた際における胴部１２の延在方向を基準とした主軸３０の曲がり度合いを示す目盛り４２を有する。
【００４６】
本実施形態では、主軸３０は胴部１２に保持されているため、主軸３０にトルクが加えられるとそのトルクは本体１０に伝達される。従って、この外科用トルクレンチ１は、主軸３０に加えるトルクによって頭部１１に連結される工具５０を介してねじ６０にトルクを加えることができ、このねじ６０を締め付け得る。
【００４７】
また、本実施形態では、主軸３０は弾性を有し、目盛り部４０は主軸３０の曲がり度合いを示す目盛り４２を有する。ここで、頭部１１に連結されるねじ６０に加わるトルクは、上記のように主軸３０の曲がり度合いと所定の関係を有するため、主軸３０の曲がり度合いからこのねじ６０に加わるトルクが分かり得る。従って、この外科用トルクレンチ１は、所望のトルクでねじ６０を締め付け得る。
【００４８】
また、本実施形態では、筒状の胴部１２に主軸３０が挿入されるため、本体の外部に主軸の全体が位置する場合と比べて、小型化し得る。
【００４９】
また、本実施形態では、上記のように筒状の胴部１２には、主軸３０の直径よりも幅が大とされる切り欠き２２が頭部１１と反対側の端から当該胴部１２の延在方向に沿って所定の位置まで形成される。このため、上記のように胴部１２に対して主軸３０が切り欠き２２が位置する側に曲げられた際には、主軸３０の湾曲する部位の一部は、この切り欠き２２から胴部１２の外部に突出し得る。このため、主軸３０の曲がりが胴部１２よって妨げられることを抑制でき、切り欠きが形成されていない筒状の胴部と比べて、胴部１２の外径を小さくでき、外科用トルクレンチ１を小型化し得る。また、切り欠きが形成されていない筒状の胴部と比べて、胴部１２の内部を洗浄し易い。
【００５０】
また、本実施形態では、本体１０は頭部１１と胴部１２とに分解可能とされる。このため、頭部１１と胴部１２とを別々に洗浄することができ、本体が頭部と胴部とに分解できない場合と比べて、本体１０を洗浄し易くなる。
【００５１】
また、本実施形態では、頭部１１は、ねじ６０が連結される工具５０の工具頭部５２を収容する収容部１９を有する。主軸３０の頭部１１の側の端部にはピン３３が固定され、ピン３３の先端部とされる爪部３６の先端部は、係止部１４の開口１４Ｈから係止部１４の収容部１９に突出している。また、主軸３０は、当該主軸３０の軸方向に移動可能とされている。このため、主軸３０を当該主軸３０の軸方向に移動させることで、工具頭部５２の溝５６にこの爪部３６の先端部を係合させたり、この係合を解いたりすることができ、主軸３０によってねじ６０を頭部１１に連結させたり、この連結を解いたりし得る。このため、この外科用トルクレンチ１は、主軸３０と異なる別の部材、例えば上記特許文献１に記載の外科用トルクレンチにおけるボルトロッドを備えなくても本体１０の頭部１１の係止部１４にねじ６０を連結させたり、この連結を解いたりできる。従って、主軸と異なる別の部材によってねじを本体の頭部に連結させる場合と比べて、外科用トルクレンチ１を簡易な構成にすることができる。また、工具５０における工具頭部５２は溝５６を複数有するため、使用者は頭部１１の係止部１４の収容部１９から工具５０を取り外さなくてもこの工具５０に対する外科用トルクレンチ１の延在方向を変更し得るため、操作性が良好なものとし得る。
【００５２】
また、本実施形態では、主軸３０の頭部１１の側の端部にはピン３３が固定され、このピン３３の先端部とされる爪部３６の先端部は、先細りとなるように主軸３０の軸方向に対して傾いた傾斜面３７を有する。上記のように爪部３６の傾斜面３７に加わる力は、主軸３０の径方向と軸方向とに作用するため、この軸方向の力によって主軸３０は軸方向に移動し得る。このため、外科用トルクレンチ１にトルクを加えた際にこの傾斜面３７に工具頭部５２の溝５６の縁部が当接して傾斜面３７に力が加わる場合には、つまり図５において工具５０を中心とした反時計回りの方向のトルクを外科用トルクレンチ１に加える場合には、主軸３０が軸方向に移動して爪部３６が溝５６から抜かれ、爪部３６と溝５６との係合が解かれ、ねじ６０にトルクが加わらない。このようにして、本実施形態では、外科用トルクレンチ１へのトルクの加え方に応じてねじにトルクが加わらないようにし得る。
【００５３】
また、本実施形態では、上記のように爪部３６の先端が突起１８よりも胴部１２の側に位置するように主軸３０が移動された際には、主軸３０を当該主軸３０の軸を中心として回転させ得る。例えば、図５に示す状態において、主軸３０を当該主軸３０の軸を中心として概ね１８０°回転させて、工具頭部５２の溝５６に対する傾斜面３７と係合面３８との位置関係を反転させる。この状態で、工具５０を中心とした時計回りの方向のトルクを外科用トルクレンチ１に加える場合には、傾斜面３７に工具頭部５２の溝５６の縁部が当接して爪部３６の先端部と工具頭部５２の溝５６との係合部の係合が解かれ、ねじ６０にトルクが加わらなくなる。一方、この状態で、工具５０を中心とした反時計回りの方向のトルクを外科用トルクレンチ１に加える場合には、爪部３６の係合面３８が工具頭部５２のこの溝５６の内面に当接し、爪部３６と溝５６との係合が解かれずに、ねじ６０にトルクが加わる。このようにして、本実施形態では、使用者は頭部１１の収容部１９から工具５０を取り外さなくてもねじ６０にトルクを加え得るトルクの加え方を変更し得るため、操作性が良好なものとし得る。
【００５４】
また、本実施形態では、本体１０は、主軸３０を頭部１１の側に付勢する弾性体としてのコイルばね２３を備える。このため、使用者が主軸３０を頭部１１の側へ移動させなくても爪部３６を溝５６に係合させ得るため、操作性が良好なものとし得る。
【００５５】
（第２実施形態）
次に、本発明の第２実施形態について図７、図８を参照して詳細に説明する。なお、第１実施形態と同一又は同等の構成要素については、特に説明する場合を除き、同一の参照符号を付して重複する説明は省略する。
【００５６】
図７は、本実施形態に係る外科用トルクレンチを図１と同じ視点で示す図であり、図８は、本実施形態に係る外科用トルクレンチを図２と同じ視点で示す図である。図７、図８に示すように本実施形態の外科用トルクレンチ１は、主軸３０が胴部１２に固定される点、主軸３０とピン３３とが別体とされる点、目盛り部４０が主軸３０に固定される点において、第１実施形態の外科用トルクレンチ１と異なる。本実施形態の外科用トルクレンチ１は、本体１０と、主軸３０と、目盛り部４０とを主な構成として備える。
【００５７】
本実施形態の本体１０は、頭部１１と、胴部１２と、ロックナット１３と、コイルばね２３と、ピン３３とを主な構成として備える。本実施形態の胴部１２は、上記第１実施形態における胴部１２の小径部２１に替わって胴部１２の内部が中実とされた保持部２５を備え、ロックナット１３によって頭部１１の接続部１５に固定されている。胴部１２には、頭部１１の側と反対側の端から保持部２５まで延在方向に沿って切り欠き２２が形成される。また、胴部１２の頭部１１の側と反対側の端部における表面のうち、係止部１４の筒軸方向における両側の表面には、目印２６が形成されている。目印２６は印刷によって形成されも良く、刻印によって形成されても良い。
【００５８】
本実施形態のピン３３は、上記のように主軸３０に固定されない点において上記第１実施形態のピン３３と異なり、接続部１５に挿入され、当該ピン３３の軸方向に移動できるように、接続部１５に支持される。図８に示す状態では、大径部３４が接続部１５の大径部１７に位置し、小径部３５が接続部１５の小径部１６に位置している。この小径部３５は、上記第１実施形態のピン３３と同様にして、先端部に爪部３６を有する。この爪部３６は傾斜面３７と係合面３８と有し、爪部３６の先端部は、係止部１４の開口１４Ｈから収容部１９に突出している。
【００５９】
本実施形態のコイルばね２３は、胴部１２の保持部２５と接続部１５に挿入されたピン３３との間の空間に収縮可能に配置される点において、上記第１実施形態のコイルばね２３と異なる。ピン３３は、このコイルばね２３の弾性力によって係止部１４の側に付勢されており、図８に示す状態では、ピン３３の大径部３４が接続部１５の小径部１６に当接している。なお、コイルばね２３が配置される胴部１２の保持部２５とピン３３との間の空間は、爪部３６の先端が係止部１４の開口１４Ｈより接続部１５の側に位置することができるとともに、爪部３６の先端が突起１８よりも胴部１２の側に位置しないように形成される。
【００６０】
本実施形態の主軸３０は、上記のように主軸３０が胴部１２に固定される点において上記第１実施形態の主軸３０と異なる。本実施形態の主軸３０は、当該主軸３０の軸が胴部１２の筒軸と概ね一致するように胴部１２に挿入され、主軸３０の頭部１１の側の端部が胴部１２の保持部２５に固定される。
【００６１】
本実施形態の目盛り部４０は、上記のように主軸３０に固定される点において上記第１実施形態の目盛り部４０と異なる。本実施形態の目盛り部４０の基部４１は、主軸３０であって、胴部１２の頭部１１と反対側の端と摘み部３１との間の部位に固定される。基部４１は、板状部材とされ、胴部１２の頭部１１と反対側の端に隣接し、主軸３０から胴部１２の切り欠き２２が位置する側と反対側へ胴部１２を越えて延在する。係止部１４の筒軸方向からみた基部４１の形状は、頭部１１と反対側へ凸状に湾曲する概ね円弧形状とされる。基部４１の表面のうち、係止部１４の筒軸方向における両側の表面には、目盛り４２が形成されている。
【００６２】
本実施形態では、上記第１実施形態と同様にして、使用者は、頭部１１における係止部１４の収容部１９に工具５０の工具頭部５２を挿入し、工具頭部５２の突起５５を係止部１４の溝２０に係合させる。
【００６３】
次に、使用者は、工具５０を中心として外科用トルクレンチ１を工具５０に対して回動し、爪部３６の先端部を工具頭部５２の溝５６上に位置させる。溝５６上に位置した爪部３６の先端部は、コイルばね２３の付勢力によってこの溝５６に押し込まれる。
【００６４】
次に、爪部３６の先端部が溝５６に押し込まれた状態で、使用者は、切り欠き２２が位置する側に主軸３０が曲がるように、主軸３０の摘み部３１に力を加え、つまり図８において工具５０を中心とした時計回りの方向のトルクを主軸３０に加える。上記のように、主軸３０は胴部１２の保持部２５に固定されているため、主軸３０に加えられたこのトルクは、本体１０に伝達される。この際、爪部３６の係合面３８が工具頭部５２の溝５６の内面に当接し、爪部３６が溝５６に係合され、工具５０が本体１０の頭部１１に連結され、工具５０に連結されるねじ６０も本体１０の頭部１１に連結される。このため、本実施形態では、上記第１実施形態と同様にして、本体１０の頭部１１に連結される工具５０を介してねじ６０にトルクが加えられ、このトルクによってねじ６０が締め付けられる。
【００６５】
上記のように主軸３０は当該主軸３０の径方向への所定の範囲内のトルクに対して弾性を有するため、主軸３０に加えられるトルクによって主軸３０は胴部１２に対して湾曲し、この主軸３０に固定された目盛り部４０は、胴部１２に対して主軸３０とともに移動する。図８には湾曲した主軸３０の状態の一例が破線で示されている。ところで、上述した係止部１４の筒軸方向からみた基部４１の形状は、この移動の際に基部４１における胴部１２の側の縁が胴部１２の頭部１１と反対側の端に沿うように、概ね円弧形状とされている。筒状の胴部１２には、主軸３０の直径よりも幅が大とされる切り欠き２２が形成されているため、主軸３０の湾曲する部位の一部は、この切り欠き２２から胴部１２の外部に突出し得る。このため、主軸３０の曲がりが胴部１２よって妨げられることを抑制でき、切り欠きが形成されていない筒状の胴部と比べて、胴部１２の外径を小さくでき、外科用トルクレンチ１を小型化し得る。また、切り欠きが形成されていない筒状の胴部と比べて、胴部１２の内部を洗浄し易い。
【００６６】
ところで、目盛り部４０の目盛り４２は、上記第１実施形態と同様にして、切り欠き２２が位置する側に主軸３０が曲げられた際における胴部１２の延在方向を基準とした主軸３０の曲がり度合いを示すものとされ、胴部１２に形成される目印２６を基準にして形成されている。上記のように、頭部１１に連結されるねじ６０に加わるトルクは、主軸３０の曲がり度合いと所定の関係を有するため、主軸３０の曲がり度合いからねじ６０に加わるトルクが分かり得る。本実施形態の目盛り４２は、主軸３０の曲がり度合いに基づくねじ６０に加わるトルクを示すものとされている。従って、本実施形態では、上記第１実施形態と同様にして、目盛り４２における所望のトルクを示す位置と基準である胴部１２の目印２６とが重なるように主軸３０にトルクを加えることで、所望のトルクをねじ６０に加えることができ、所望のトルクでねじ６０を締結することができる。
【００６７】
また、本実施形態では、上記第１実施形態と同様にして、筒状の胴部１２に主軸３０が挿入されるため、本体の外部に主軸の全体が位置する場合と比べて、小型化し得る。
【００６８】
また、本実施形態では、上記第１実施形態と同様にして、本体１０は頭部１１と胴部１２とに分解可能とされる。このため、頭部１１と胴部１２とを別々に洗浄することができ、本体が頭部と胴部とに分解できない場合と比べて、本体１０を洗浄し易くなる。
【００６９】
また、本実施形態では、頭部１１は、工具５０の工具頭部５２を収容する収容部１９を有する。また、本体１０は、頭部１１の接続部１５に挿入されるピン３３を有し、このピン３３の先端部とされる爪部３６の先端部は、傾斜面３７と係合面３８と有し、係止部１４の開口１４Ｈから係止部１４の収容部１９に突出している。爪部３６の傾斜面３７に加わる力は、ピン３３の径方向と軸方向とに作用するため、この軸方向の力によってピン３３は軸方向に移動し得る。外科用トルクレンチ１にトルクを加えた際にこの傾斜面３７に工具頭部５２の溝５６の縁部が当接して傾斜面３７に力が加わる場合には、つまり図８において工具５０を中心とした反時計回りの方向のトルクを外科用トルクレンチ１に加える場合には、ピン３３が軸方向に移動して爪部３６が溝５６から抜かれる。このため、爪部３６と溝５６との係合が解かれ、ねじ６０にトルクが加わらない。このようにして、本実施形態では、上記第１実施形態と同様にして、外科用トルクレンチ１へのトルクの加え方に応じてねじにトルクが加わらないようにし得る。
【００７０】
以上、本発明について、実施形態を例に説明したが、本発明はこれらに限定されるものではない。
【００７１】
例えば、上記実施形態では、円筒状の胴部１２を例に説明したが、胴部１２は筒状であれば良く、胴部１２の長手方向と垂直な断面の形状は特に限定されない。また、上記実施形態では、円柱状の主軸３０を例に説明したが、主軸３０の長手方向と垂直な断面の形状は特に限定されない。しかし、主軸３０が胴部１２に形成される切り欠き２２から胴部１２の外部に突出できるように、主軸３０の長手方向と垂直な断面における外形の最小の幅は、切り欠きの幅よりも小とされる。なお、主軸の長手方向と垂直な断面における外形の最小の幅は、例えば上記実施形態のように主軸の長手方向と垂直な断面における断面の外形が概ね円形である場合にはその直径とされ、断面の外形が概ね多角形の場合にはその対辺間の距離のうち最小の距離とされる。
【００７２】
また、上記実施形態では、頭部１１と胴部１２とに分解可能な本体１０を例に説明したが、本体１０は頭部１１と胴部１２とに分解できなくても良い。しかし、本体を洗浄し易くする観点から、本体は頭部と胴部とに分解できることが好ましい。
【００７３】
また、上記第１実施形態では、主軸３０を頭部１１の側に付勢する弾性体であるコイルばね２３を備える本体１０を例に説明したが、本体１０は、このような弾性体であるコイルばね２３を備えなくても良い。しかし、操作性の観点から、本体は、このような弾性体を備えることが好ましい。
【００７４】
また、上記第１実施形態では、目盛り部４０は胴部１２に取り付けられており、上記第２実施形態では、目盛り部４０は主軸３０に取り付けられていた。しかし、目盛り部４０は、上記第１実施形態において上記第２実施形態と同様にして主軸３０に取り付けられても良く、上記第２実施形態において上記第１実施形態と同様にして胴部１２に取り付けられても良い。
【００７５】
また、上記第１実施形態では、主軸３０に摘み部３１とピン３３とがそれぞれ固定されており、上記第２実施形態では、主軸３０に摘み部３１が固定されていた。しかし、外科用トルクレンチ１では、主軸３０と摘み部３１や主軸３０とピン３３が互いに一体とされて形成されても良い。
【００７６】
また、上記実施形態では、工具５０を介してねじ６０が連結される頭部１１を例に説明したが、頭部はねじが連結され得るものであれば良く、頭部の構成は特に限定されない。上記実施形態では、頭部１１の係止部１４における収容部１９に工具５０の工具頭部５２が収容されて工具５０が頭部１１に連結されていた。しかし、頭部は収容部を有していなくても良く、例えば頭部が突起を有し、工具がこの突起に対応する溝を有する場合には、頭部の突起に工具の溝等を嵌合させることで工具を介して頭部にねじを連結させても良い。頭部が収容部を有する場合、この収容部にはねじの少なくとも一部またはねじが連結される工具の少なくとも一部が収容されれば良い。例えば、上記実施形態では、頭部１１の係止部１４は両端に開口を有する筒状に形成されていたが、例えば係止部は一方の端の開口が閉塞された筒状に形成されも良い。また、上記実施形態では、工具５０の工具頭部５２に形成される係合部としての複数の溝５６にピン３３の爪部３６が係合してねじ６０が頭部１１に連結されていた。しかし、ピン３３が係合する係合部は溝に限定されるものではない。例えば工具頭部に形成される複数の突起にピン３３の爪部３６が係合してねじ６０が頭部１１に連結されても良い。また、上記実施形態では、頭部１１の係止部１４は円筒状に形成されていたが、例えば長手方向と垂直な断面の形状がＣ字状の筒状に形成されても良い。また、頭部は、ねじが直接連結されるものであっても良い。ねじを頭部に直接連結させる場合には、例えば、上記工具５０の工具頭部５２と同様にして、ねじの頭部に複数の溝を形成し、頭部の係止部の内径をねじの頭部の外径と概ね同じとし、この係止部にねじの頭部を挿入させてこのねじを頭部に直接連結させても良い。また、ねじの頭部や工具の工具頭部が多角柱状とされる場合には、例えば、頭部の係止部を長手方向と垂直な断面の形状がこれら多角柱に対応した多角形状とされる筒状に形成し、この係止部にねじの頭部や工具の工具頭部を挿入してこのねじや工具を頭部に連結させても良い。また、上記実施形態では、頭部１１は係止部１４と接続部１５とを有していたが、頭部は接続部１５を有していなくても良く、例えば胴部の一端が螺合等によって係止部に取り付けられても良い。
【産業上の利用可能性】
【００７７】
本発明によれば、小型化しつつ洗浄し易い外科用トルクレンチが提供され、歯科等の分野において利用可能である。
【符号の説明】
【００７８】
１・・・外科用トルクレンチ
１０・・・本体
１１・・・頭部
１２・・・胴部
１３・・・ロックナット
１４・・・係止部
１５・・・接続部
１９・・・収容部
２２・・・切り欠き
２３・・・コイルばね
３０・・・主軸
３３・・・ピン
３６・・・爪部
３７・・・傾斜面
３８・・・係合面
４０・・・目盛り部
４２・・・目盛り
【図１】
2019136315.tif 000003
【図２】
2019136315.tif 000004
【図３】
2019136315.tif 000005
【図４】
2019136315.tif 000006
【図５】
2019136315.tif 000007
【図６】
2019136315.tif 000008
【図７】
2019136315.tif 000009
【図８】
2019136315.tif 000010